(57)【要約】      （修正有）【課題】携帯端末を用いて、複数のエリアの複数の照明度センサの校正を簡単に行うことができる照明制御システムを提供する。【解決手段】照明制御システムは、スマートフォン１１と、照明制御装置２とを含む、スマートフォン１１は、照度センサと無線通信部とを有する。照明制御装置２は、複数のエリアのそれぞれを照明する複数の照明器具３を、複数のエリアの明るさを検出する複数のエリア別の照度センサ４の検出値に基づいて、調光制御すると共に、無線通信装置６において受信したスマートフォン１１の照度センサの検出値に基づいて、各エリア別の照度センサ４の校正を行う。【選択図】図３
2015060752.tif 000002
【特許請求の範囲】
【請求項１】
照度センサと無線通信部とを有する携帯端末装置と、
複数のエリアのそれぞれを照明する複数の照明器具を、前記複数のエリアの明るさを検出する複数のエリア別照度センサの検出値に基づいて、調光制御すると共に、前記無線通信部から送信された前記携帯端末装置の前記照度センサの検出値に基づいて、各エリア別照度センサの校正を行う照明制御装置と、
を有する照明制御システム。
【請求項２】
前記携帯端末装置は、前記校正を行うエリアを選択し、その選択したエリア情報を前記無線通信部により、前記照明制御装置へ送信する請求項１に記載の照明制御システム。
【請求項３】
前記携帯端末装置は、前記複数のエリアを表示して、その表示された前記複数のエリアの中から、前記校正を行うエリアを選択させるための表示部を有する請求項２に記載の照明制御システム。
【請求項４】
前記携帯端末装置は、前記校正を行うエリアを選択させるための前記複数のエリアのレイアウト図の情報を、前記照明制御装置から受信して、前記レイアウト図を前記表示部に表示する請求項３に記載の照明制御システム。
【請求項５】
前記携帯端末装置は、前記各エリア別照度センサの校正を、前記無線通信部を介してダウンロードしたアプリケーションプログラムを実行することによって行う請求項２から４のいずれか１つに記載の照明制御システム。
【請求項６】
前記照明制御装置は、前記校正を行うエリアを選択し、その選択されたエリアについて受信した前記照度センサの検出値を用いて、前記選択されたエリアの前記エリア別照度センサの校正を行う請求項１に記載の照明制御システム。
【請求項７】
前記照明制御装置は、前記選択されたエリアの明るさを、前記選択されたエリア以外の明るさと異ならせるように前記複数の照明器具を調光制御することによって、前記校正を行う者に前記選択されたエリアを知らしめる請求項６に記載の照明制御システム。
【請求項８】
前記携帯端末装置は、前記選択されたエリアにおける異なる２つの検出値を送信し、
前記照明制御装置は、前記２つの検出値に基づいて、前記各エリア別照度センサの校正を行う請求項１から７のいずれか１つに記載の照明制御システム。
【発明の詳細な説明】
【技術分野】
【０００１】
本発明の実施形態は、照明制御システムに関する。
【背景技術】
【０００２】
従来より、オフィスなどでは、照明を制御する照明制御システムが広く利用されている。複数の照明器具が複数のエリアに設置され、１又は２以上の照明器具が各エリアに対応して設置される。照明制御装置は、各エリアを所定の照度で照明するために、各エリアの照度に応じて各照明器具を制御する。
【０００３】
その場合、照明制御装置は、各エリアの明るさを検出する明るさセンサである照度センサから、明るさを示す照度値情報を得る。照度センサは、エリア毎に、天井などに設置され、照明光の反射光を検出することにより、そのエリアの床面の明るさを検出する。
【０００４】
照度センサの校正は、設置後、必ず１回は行われ、オフィスなどに設置された複数の照度センサの全てに対して行われる。
【０００５】
しかし、校正時、校正を行う者は、各エリアの所定の位置に、例えば机上に、照度計を置いて照度を計測し、その照度の計測値をパーソナルコンピュータに入力し、その入力データをパーソナルコンピュータから照明制御装置へ校正用データとして送信するという作業を行う。
【０００６】
照明制御装置は、受信した各エリアの照度値に基づいて、エリア毎の照度センサの出力値の校正を行う。そして、校正を行う者は、オフィスなどに設置された複数の照度センサ全てについて、このような校正作業を行わなければならず、校正作業は、繁雑で時間が掛かるという問題がある。
【先行技術文献】
【特許文献】
【０００７】
【特許文献１】特開２００３−２８２２７８号公報
【発明の概要】
【発明が解決しようとする課題】
【０００８】
そこで、本実施形態は、携帯端末を用いて、複数のエリアの複数の照明度センサの校正を簡単に行うことができる照明制御システムを提供することを目的とする。
【課題を解決するための手段】
【０００９】
実施形態の照明制御システムは、携帯端末装置と、照明制御装置と、を有する。携帯端末装置は、照度センサと無線通信部とを有する。照明制御装置は、複数のエリアのそれぞれを照明する複数の照明器具を、前記複数のエリアの明るさを検出する複数のエリア別照度センサの検出値に基づいて、調光制御すると共に、前記無線通信部から送信された前記携帯端末装置の前記照度センサの検出値に基づいて、各エリア別照度センサの校正を行う。
【発明の効果】
【００１０】
実施形態によれば、携帯端末を用いて、複数のエリアの複数の照明度センサの校正を簡単に行うことができる照明制御システムを提供することができる。
【図面の簡単な説明】
【００１１】
【図１】第１の実施形態に関わる照明制御システム１の構成図である。
【図２】第１の実施形態に関わる、照度センサ４の設置例を示すオフィスの平面図である。
【図３】第１の実施形態に関わる、オフィスにおける照明器具３と照度センサ４の位置を説明するための図である。
【図４】第１の実施形態に関わる、携帯端末としてのスマートフォンの構成を説明するための斜視図である。
【図５】第１の実施形態に関わる、スマートフォン１１における校正処理の流れの例を示すフローチャートである。
【図６】第１の実施形態に関わる、照明制御装置２における校正処理の流れの例を示すフローチャートである。
【図７】第１の実施形態に関わる、スマートフォン１１の表示部１３の画面１３ａ上に表示される操作画面の例を示す図である。
【図８】第１の実施形態に関わる、選択されたエリアが他のエリアとは識別可能に表示している状態を示す図である。
【図９】第１の実施形態に関わる、２回目の照度を送信する場合の操作画面GUI1の表示状態を示す図である。
【図１０】第１の実施形態に関わる、１つのエリアについての校正作業が終了した場合の操作画面GUI1の画面の例を示す図である。
【図１１】第２の実施形態に関わる、スマートフォン１１における校正処理の流れの例を示すフローチャートである。
【図１２】第２の実施形態に関わる、照明制御装置２における校正処理の流れの例を示すフローチャートである。
【図１３】第２の実施形態に関わる、スマートフォン１１の表示部１３の画面１３ａ上に照度を表示する操作画面GUI2の例を示す図である。
【図１４】第２の実施形態に関わる、スマートフォン１１が照度値を２回送信した後の操作画面GUI2の表示例を示す図である。
【発明を実施するための形態】
【００１２】
以下、図面を参照して実施形態を説明する。
【００１３】
（第１の実施形態）
（構成）
図１は、本実施形態に関わる照明制御システム１の構成図である。照明制御システム１は、照明制御装置２と、複数の照明器具３と、複数の照度センサ４とを含んで構成されている。照明制御装置２は、複数の照明器具３及び複数の照度センサ４とは通信ライン５により接続されている。
【００１４】
照明制御装置２には、無線通信装置６が接続されている。無線通信装置６は、WiFi等の無線LANのアクセスポイントの無線通信部である。照明制御装置２は、スマートフォンなどの携帯端末との通信を、無線通信装置６を介してできるようになっている。
【００１５】
ここでは、照明制御装置２は、あるオフィスの複数のエリア（ここでは、A1〜A4のエリア）の照明を制御する装置であり、無線通信装置６は、その複数のエリア内のWiFi等に対応する携帯端末からの信号を受信可能となっている。  
なお、ここでは、照明制御装置２に無線通信装置６が接続されているが、無線通信装置６は照明制御装置２に内蔵されていてもよい。
【００１６】
照明制御装置２は、中央処理装置（以下、CPUという）２ａと、記憶装置２ｂを有する。記憶装置２ｂは、ROM、RAM、ハードディスクドライブなどを含み、照明制御プログラム、後述する各照度センサ４の検出した照度値の校正のための校正処理アプリケーション（後述する制御部校正処理アプリケーションプログラム）、等の各種プログラム、及び各種データを記憶する。記憶装置２ｂには、各種データの一つとして、エリアA1〜A4を含むオフィスのレイアウト図のデータが予め記憶されている。
【００１７】
照明制御プログラムは、複数のエリアを照明する複数の照明器具３を、各エリアの明るさである照度を検出する照度センサ４の検出値に基づいて、調光制御するためのプログラムである。校正処理アプリケーションプログラムは、各エリアに設けられた照度センサ４の校正を行うプログラムである。
【００１８】
図２は、照度センサ４の設置例を示すオフィスの平面図である。図３は、オフィスにおける照明器具３と照度センサ４の位置を説明するための図である。図２では、説明を簡単にするために、あるオフィスが４つのエリアA1〜A4に分割されており、各エリアには、床F上に設置された４つの机７があり、各エリアの中央部の天井Cに照度センサ４（点線で示す）が配置されていることが示されている。各照度センサ４は、対応するエリアの照度を計測する。
【００１９】
照明制御装置２は、図示しない壁スイッチなどで照明のオン・オフがされると、各エリアが設定された所定の明るさになるように、照度センサ４の検出値に基づいて、各照明器具３を制御する。その制御は、CPU２ａが、記憶装置２ｂから照明制御プログラムを読み出して実行することにより行われる。
【００２０】
図４は、携帯端末としてのスマートフォンの構成を説明するための斜視図である。  
スマートフォン１１は、装置本体１２の表面に設けられた表示部１３を有し、表示部１３の周囲に、スピーカ１４と、照度センサ１５と、マイク１６などを有する。表示部１３は、タッチパネル付きの表示装置であるので、ユーザは、表示部１３の画面上を指などでタッチすることによって、コマンド等を指定あるいは選択することができる。
【００２１】
スマートフォン１１は、本体内に中央処理装置（以下、CPUという）１７と、書き替え可能な不揮発性メモリとしてのフラッシュメモリ１８と、WiFi等の通信のための無線通信部１９と、図示しないROM、RAMを内蔵している。CPU１７は、フラッシュメモリ１８及びROMに記憶されたアプリケーションを、作業用メモリであるRAMを用いて、実行することができる。  
照度センサ１５は、入射した光量に基づいて照度を検出する検出器である。この照度センサ１５は、校正用の照度センサ（図示せず）により、予め校正されている。スマートフォン１１は、その照度センサ１５の出力信号に基づいて、後述するように、表示部１３に照度値を表示したり、表示された照度値の情報を無線通信部１９を介して照明制御装置２へ送信することができるようになっている。
【００２２】
なお、スマートフォン１１を用いて照明制御システム１の照度センサ４の校正を行う前に、必要な場合は、スマートフォン１１の照度センサ１５の校正が行われる。例えば、校正用の基準とすべき照度計で計測された光と同じ光を、スマートフォン１１の照度センサ１５に照射して、そのときの出力（例えば出力電圧）を、基準とすべき照度計の照度値と一致させることによって、スマートフォン１１の照度センサ１５の照度の校正が行われる。
【００２３】
また、スマートフォン１１は、アクセスポイントである無線通信装置６を介して照明制御装置２と通信可能となっている。よって、スマートフォン１１は、照度センサ１５と無線通信部１９とを有する携帯端末装置である。  
上述したように、スマートフォン１１は、CPU１７により種々のアプリケーションプログラム（以下、アプリケーションともいう）を起動して実行することができるので、ユーザは、無線通信装置６又はインターネットを利用して、所望のアプリケーションをダウンロードしてスマートフォン１１のフラッシュメモリ１８に記憶させて、実行させることができる。
【００２４】
ここでは、ユーザが、次に述べる照度センサ４の校正を行うためのアプリケーションを、無線通信装置６から又はインターネットを介して、スマートフォン１１に予めダウンロードしているものとして、照明制御システム１における照度センサ４の校正について説明する。
【００２５】
すなわち、スマートフォン１１は、各エリアに設けられた照度センサ４すなわちエリア別照度センサの校正を、無線通信部１９を介してダウンロードしたアプリケーションプログラムを実行することによって行う。
【００２６】
そして、照明制御装置２は、複数のエリアを照明する複数の照明器具３を、複数のエリアの明るさを検出する複数のエリア別照度センサである照度センサ４の検出値に基づいて、調光制御すると共に、スマートフォン１１から送信されて無線通信装置６において受信したスマートフォン１１の照度センサ１５の検出値に基づいて、エリア別照度センサである照度センサ４の校正を行う。
【００２７】
（動作）
図５は、スマートフォン１１における校正処理の流れの例を示すフローチャートである。図６は、照明制御装置２における校正処理の流れの例を示すフローチャートである。
【００２８】
図５の処理は、スマートフォン１１の照度センサ校正アプリケーション（以下、端末校正アプリケーションという）AP1の処理であり、CPU１７により実行される。図６の処理は、照明制御装置２の照度センサ校正処理アプリケーションプログラム（以下、制御部校正アプリケーションという）AP2の処理であり、CPU２ａにより実行される。
【００２９】
スマートフォン１１は、端末校正アプリケーションAP1の実行が指示されたか否かを判定する（S1)。S1の判定は、照度センサ４の校正を行う者であるスマートフォン１１のユーザによるスマートフォン１１の操作に基づいて判定される。
【００３０】
端末校正アプリケーションAP1の実行指示がないと（S1:NO)、処理は何もしない。  
端末校正アプリケーションAP1の実行が指示されると（S1:YES)、スマートフォン１１は、校正処理の実行が指示されたことを、照明制御装置２へ通知する（S2)。
【００３１】
照明制御装置２は、図６に示すように、無線通信装置６を介して、スマートフォン１１で端末校正アプリケーションAP1の実行が開始されたか否かを判定する（S11)。S11の判定は、S2の通知の受信の有無に基づいて行われる。
【００３２】
S11の通知を受けると（S11:YES)、照明制御装置２は、照明制御を行う複数のエリアA1からA4のレイアウト図の送信処理を実行する（S12)。記憶装置２ｂにレイアウト図のデータが予め記憶されているので、照明制御装置２は、記憶装置２ｂからレイアウト図の情報を読み出して、スマートフォン１１に無線通信装置６を介して送信する。  
スマートフォン１１では、レイアウト図面の情報の受信処理を実行し（S3)、表示部１３の画面１３ａ上に、受信したレイアウト図を含む操作画面を表示する（S4)。
【００３３】
図７は、スマートフォン１１の表示部１３の画面１３ａ上に表示される操作画面の例を示す図である。図７は、スマートフォン１１が照明制御装置２からオフィスのレイアウト図を受信して表示部１３に表示している状態を示している。
【００３４】
端末校正アプリケーションAP1は、校正用の操作画面GUI1を生成して、その表示部１３の画面１３ａにその操作画面GUI1を表示する。  
校正用の操作画面GUI1は、校正時の照度計測の回数を表示する回数表示部２１と、エリアA1~A4のレイアウト図を表示するレイアウト表示部２２と、照度センサ１５により計測された照度値を表示する照度表示部２３と、送信ボタン２４とを含む。図７では、最初の照度検出なので、回数表示部２１に「１回目」の文字が生成されて表示されている。
【００３５】
さらに、レイアウト表示部２２には、照明制御装置２から受信したレイアウト図の画像が表示されている。なお、レイアウト表示部２２に表示されたレイアウト図の各エリアを、表示部１３のタッチパネルにタッチすることによってユーザが指定できるように、端末校正アプリケーションAP1は、レイアウト表示部２２にレイアウト図を生成して表示する。
【００３６】
照度表示部２３には、照度センサ１５で計測された照度値が、ルックスの単位で表示される。ここでは、照度が計測されると、端末校正アプリケーションAP1は、計測された照度値を、照度表示部２３に表示する。
【００３７】
送信ボタン２４は、ユーザが触れることによって、計測された照度値データの照明制御装置２への送信を指示するための操作ボタンである。送信ボタン２４は、端末校正アプリケーションAP1によって生成されて表示される。
【００３８】
ユーザが校正用の操作画面GUI1上でエリアを選択すると、すなわちレイアウト表示部２２に表示されたレイアウト図の中から、校正を行うエリアをタッチすると、エリア選択処理を実行する（S5)。S5では、エリアの選択を認識すると、CPU１７は、選択されたエリアを他のエリアとは識別可能に表示する処理を実行する。
【００３９】
すなわち、携帯端末装置であるスマートフォン１１では、校正を行うエリアが選択され、その選択されたエリア情報が無線通信部１９により、照明制御装置２へ送信される。そのために、スマートフォン１１は、複数のエリアを表示して、その表示された複数のエリアの中から、校正を行うエリアを選択させるためのレイアウト図を表示するレイアウト表示部２２を表示する表示部１３を有する。そのため、スマートフォン１１は、校正を行うエリアを選択させるための複数のエリアのレイアウト図の情報を、照明制御装置２あるいはインターネットから受信して、レイアウト図を表示部１３に表示する。
【００４０】
図８は、選択されたエリアが他のエリアとは識別可能に表示している状態を示す図である。図８では、エリアA1が選択されて、エリアA1が、他のエリアA2〜A4とは異なる輝度あるいは色（斜線で示す）で表示されている。
【００４１】
スマートフォン１１は、選択されたエリアの情報を照明制御装置２へ送信する（S6)。例えば、ユーザがエリアA1を選択すると、エリアA1が選択されたことを示す情報が照明制御装置２へ送信されるので、照明制御装置２は、エリア情報の受信処理を実行する（S13)。
【００４２】
S13の後、照明制御装置２は、校正用照度値受信処理を実行する（S14)。  
S14では、まず、S13で受信したエリア情報に基づいて選択されたエリアA1を所定の第１の照度で照明するように、エリアA1を照明する１又は２以上の照明器具３を制御する（S141)。
【００４３】
一方、スマートフォン１１では、エリアA1の照明の変化があると、その変化後の照度値が操作画面GUI1の照度表示部２３に表示される。ユーザは、照度表示部２３に表示された照度値を確認してから、送信ボタン２４をタッチして、第１回目の照度値の送信を行う。
【００４４】
照明制御装置２では、スマートフォン１１から照度値を受信すると（S142）、選択されたエリアA1を所定の第２の照度で照明するように、エリアA1を照明する１又は２以上の照明器具３を制御する（S143)。エリアA1を照明する１又は２以上の照明器具３による第２の照度は、第１の照度とは異なる照度になるように、各照明器具３に制御信号が供給される。
【００４５】
エリアA1の２回目の照明の変化があると、その変化後の照度値が操作画面GUI1の照度表示部２３に表示される。ユーザは、照度表示部２３に表示された照度値を確認してから、送信ボタン２４をタッチして、第２回目の照度値の送信を行う。
【００４６】
図９は、２回目の照度を送信する場合の操作画面GUI1の表示状態を示す図である。図９に示すように、端末校正アプリケーションAP1は、１回目の照度を送信した後なので、回数表示部２１に「２回目」の文字を生成して表示している。
【００４７】
上述した２回の照度値の送信処理は、S7において行われる。  
照明制御装置２は、スマートフォン１１から照度値を２回受信すると、２つの照度値に基づいて、エリアA1の照度センサ４の校正をする校正処理を実行する（S15)。
【００４８】
照明制御装置２は、S15の校正処理では、第１回目と第２回目の照明時における、エリアA1の照度センサ４の２つの出力値と、受信した２つの照度値との比例関係に基づいて、照度センサ４の出力値と照度値との比例関係式を新たに作成する。
【００４９】
例えば、第１回目に受信した照度値が５００ルックスで、２回目に受信した照度値が２５０ルックスであった場合、照明制御装置２は、５００ルックス時の照度センサ４の出力値V1と、２５０ルックス時の照度センサ４の出力値V2とから、比例関係式を求める。そして、照明制御装置２は、その比例関係式に基づいて、照度センサ４の出力値（例えば電圧値）から、照度を求めることができる。すなわち、スマートフォン１１は、選択されたエリアにおける異なる２つの検出値を送信し、照明制御装置２は、受信した２つの検出値に基づいて、そのエリアの照度センサ４の校正を行う。
【００５０】
スマートフォン１１では、２回目の照度値の送信を終了すると、操作画面GUI1は、図１０のようになる。図１０は、１つのエリアについての校正作業が終了した場合の操作画面GUI1の画面の例を示す図である。
【００５１】
図１０に示すように、１つのエリアの校正が終わると、他のエリアの校正を行うことを指示するための、他エリア校正ボタン２５と、終了ボタン２６とが表示される。よって、ユーザは、他のエリアの校正を続けて行うときは、他エリア校正ボタン２５にタッチし、校正を終了するときは、終了ボタン２６をタッチすることができる。  
他エリア校正ボタン２５がタッチされると、スマートフォン１１の操作画面GUI1は、図１０のようになり、ユーザは、エリア選択を行うことができる。
【００５２】
図１０では、既に校正が行われたエリアについては、所定の輝度あるいは色（網掛けで示す）で表示され、校正済みのエリアを、ユーザが認識できるように表示している。なお、既に校正が行われたエリアについては、校正済みを示す文字を表示するようにしてもよい。
【００５３】
ユーザが他エリア校正ボタン２５をタッチすると（S8:YES)、処理は、S5に移行する。ユーザが他エリア校正ボタン２５をタッチしないと（S8:NO)、スマートフォン１１は、終了が指示された、すなわち終了ボタン２６がタッチされたかを判定する（S9)。
【００５４】
終了ボタン２６がタッチされないと（S9：NO)、処理は、S8に移行する。終了ボタン２６がタッチされると（S9：YES)、終了通知処理を実行する（S10)。終了通知処理では、スマートフォン１１は、照明制御装置２へ校正処理の終了を知らせるメッセージを送信して、端末校正アプリケーションAP1の処理を終了する。
【００５５】
ユーザが他エリア校正ボタン２５をタッチして（S8:YES）、次の校正を行う他エリアを選択すると（S5)、選択された他エリアの情報が送信される（S6)。よって、照明制御装置２は、校正処理（S15）の後、他エリア校正の指示の有無を判定する（S16）。照明制御装置２が、選択された他エリアの情報を受信すると（S16:YES)、照明制御装置２では、処理は、S14に移行する。その結果、他のエリアの校正が、上述したように実行される。
【００５６】
照明制御装置２では、ユーザが他エリア校正ボタン２５をタッチしないで（S16:NO)、かつ終了ボタン２６にもタッチしないと（S17:NO)、処理は、S16に戻る。終了ボタン２６がタッチされると、終了通知を受信するので、照明制御装置２は、制御部校正アプリケーションAP2の処理を終了する。
【００５７】
以上のように、上述した実施形態の照明制御システムによれば、携帯端末を用いて、複数のエリアの複数の照明度センサの校正を簡単に行うことができる。
【００５８】
（第２の実施形態）
第１の実施形態では、照度センサ４の校正をするエリアは、ユーザが携帯端末において選択していたが、第２の実施形態では、照度センサ４の校正をするエリアは、照明制御装置２において選択され、指定される。
【００５９】
本実施形態の照明制御システムの構成は、図１に示した第１の実施形態の照明制御システム１と同じであるので、説明は省略する。以下、本実施形態を、第１の実施形態と異なる点につき、説明する。
【００６０】
図１１は、スマートフォン１１における校正処理の流れの例を示すフローチャートである。図１２は、照明制御装置２における校正処理の流れの例を示すフローチャートである。図１１と図１２において、図５と図６の処理ステップと同じ処理ステップについては、同じステップ番号を付して説明は簡略化し、異なる点について詳述する。
【００６１】
図１１の処理も、スマートフォン１１の端末校正アプリケーションAP3の処理であり、CPU１７により実行される。端末校正アプリケーションAP3も、無線通信装置６又はインターネットから、ユーザが所望のアプリケーションをスマートフォン１１のフラッシュメモリ１８にダウンロードして、実行することができる。また、端末校正アプリケーションAP3は、スマートフォン１１に予め組み込まれたプログラムであってもよい。
【００６２】
図１２の処理は、照明制御装置２の制御部校正アプリケーションAP4の処理であり、CPU２ａにより実行される。  
スマートフォン１１は、端末校正アプリケーションAP3の実行が指示されたか否かを判定し（S1)、端末校正アプリケーションAP3の実行が指示されると（S1:YES)、スマートフォン１１は、校正処理の実行が指示されたことを、照明制御装置２へ通知する（S2)。
【００６３】
照明制御装置２は、図１２に示すように、無線通信装置６を介して、スマートフォン１１で端末校正アプリケーションAP3の実行が開始されたか否かを判定し（S11)。スマートフォン１１からの実行通知の受信に基づいて、端末校正アプリケーションAP3の実行が開始されたと判定されると（S11:YES)、照明制御装置２は、校正用照度値受信処理を実行する（S31)。
【００６４】
照明制御装置２は、無線通信装置６を介して、エリアA1〜A4内のスマートフォン１１からの信号を受信することができる。  
S31では、照明制御装置２は、複数のエリアA1からA4の中で、未校正のエリアを判定して抽出し、抽出した複数の未校正エリアの中の１つを選択して、所定の第１の照度で照明するように、その選択した未校正のエリアを照明する１又は２以上の照明器具３を制御する（S311)。
【００６５】
照明制御装置２は、エリア毎に照度センサ４の校正が行われたか否かを管理する情報を有しており、例えば、全てのエリアが未校正であるときは、その中から１つのエリアA1を選択し、その選択したエリアA1が第１の所定の照度になるように、そのエリアA1の照明器具３を制御する。例えば、選択したエリアを、そのエリアの周囲のエリアの明るさよりも暗い所定の明るさ、例えば周囲のエリアの明るさの７５％の明るさ、になるように、複数の照明器具３を調光する。
【００６６】
選択されたエリアA1の照明が変化して、エリアA1の明るさが他のエリアA2,A3,A4の明るさとは異なるので、ユーザは、照度を計測するエリアがエリアA1であることを知ることができる。よって、ユーザは、そのエリアA1の処置の位置にスマートフォン１１を配置する。エリアA1に配置されたスマートフォン１１では、照度センサ１５により照度が計測され、その照度値が操作画面GUI1の照度表示部２３に表示される。
【００６７】
図１３は、スマートフォン１１の表示部１３の画面１３ａ上に照度を表示する操作画面の例を示す図である。図１３の操作画面GUI2では、図７〜図１１に示すようなオフィスのレイアウト図は表示されていない。  
ユーザは、照度表示部２３に表示された照度値を確認してから、送信ボタン２４をタッチして、第１回目の照度値の送信を行う。
【００６８】
照明制御装置２では、スマートフォン１１から照度値を受信すると（S142）、エリアA1を所定の第２の照度で照明するように、エリアA1を照明する１又は２以上の照明器具３を制御する（S312)。このときも、エリアA1を照明する１又は２以上の照明器具３により制御される第２の照度は、第１の照度とは異なる照度になるように、各照明器具３に制御信号が供給される。例えば、選択したエリアを、そのエリアの周囲のエリアの明るさよりも暗い所定の明るさ、例えば周囲のエリアの明るさの５０％の明るさ、になるように、複数の照明器具３を調光する。
【００６９】
エリアA1の２回目の照明の変化があると、その変化したときの照度値が操作画面GUI2の照度表示部２３に表示され、ユーザは、照度表示部２３に表示された照度値を確認してから、送信ボタン２４をタッチして、第２回目の照度値の送信を行う。
【００７０】
上述した２回の照度値の送信処理は、S7において行われる。照明制御装置２は、２つの検出値すなわち照度値を受信すると、その２つの検出値に基づいて、その選択されたエリアの照度センサ４の校正を実行する（S15）。
【００７１】
すなわち、照明制御装置２は、校正を行うエリアを選択し、その選択されたエリアについて受信した照度センサ１５の検出値を用いて、選択されたエリアの照度センサ４の校正を行う。そして、照明制御装置２は、選択されたエリアの明るさを、選択されたエリア以外の明るさと異ならせるように複数の照明器具３を調光制御することによって、校正を行う者に、その選択されたエリアを知らしめる。
【００７２】
図１４は、スマートフォン１１が照度値を２回送信した後の操作画面GUI2の表示例を示す図である。スマートフォン１１は、S7の処理の後、図１４に示すように、操作画面GUI2には、他のエリアの校正を行うことを指示するための、他エリア校正ボタン２５と、終了ボタン２６とが表示される。よって、ユーザは、他のエリアの校正を続けて行うときは、他エリア校正ボタン２５にタッチし、校正を終了するときは、終了ボタン２６をタッチすることができる。
【００７３】
他エリア校正ボタン２５がタッチされると、スマートフォン１１は、他エリア校正信号を照明制御装置２へ送信して操作画面を表示する（S21)。照明制御装置２は、他エリアの校正指示を受けると（S16:YES)、処理は、S31に戻り、未校正のエリアを選択して、第１の所定の照度になるように、そのエリアの照明器具３を制御する（S311）。その後の処理は、上述した通りである。
【００７４】
スマートフォン１１と照明制御装置２におけるその後の処理は、第１の実施形態で説明した処理と同様である。  
以上のように、上述した実施形態の照明制御システムによれば、携帯端末を用いて、複数のエリアの複数の照明度センサの校正を簡単に行うことができる。
【００７５】
なお、上述した２つの実施形態では、携帯端末として、多機能携帯電話であるスマートフォンが用いられているが、携帯端末はスマートフォンに限られず、携帯情報端末（PDA:Personal Digital Assistant）、タブレット端末などでもよい。  
さらになお、上述した２つの実施形態の照明制御システムでは、エリア選択は、ユーザがスマートフォン１１において選択するか、照明制御装置において自動的に選択しているが、照明器具に近距離通信機能を設け、スマートフォン１１をその照明器具に近づけると、そのスマートフォン１１が近づけられた照明器具の属するエリアが、選択されたとして、照明制御装置２がその選択されたエリアの照度を変更するようにしてもよい。
【００７６】
また、上述した２つの実施形態では、携帯端末であるスマートフォン１１は、照度値を照明制御装置２へ送信しているが、照度値に代えて、照度センサ１５の出力値、例えば電圧値を照明制御装置２へ送信するようにしてもよい。その場合、照明制御装置２は、出力値と照度値との対応テーブルなどの対応情報を有して、受信した照度センサ１５の出力値を照度値に変換する。  さらにまた、上述した２つの実施形態では、スマートフォンの端末校正アプリケーションは、ダウンロードされたアプリケーションプログラムであるが、スマートフォンなどの携帯端末に組み込まれたプログラムであってもよい。
【００７７】
また、以上説明した動作を実行するプログラムは、コンピュータプログラム製品として、フレキシブルディスク、ＣＤ−ＲＯＭ等の可搬媒体や、ハードディスク等の記憶媒体に、その全体あるいは一部が記録され、あるいは記憶されている。そのプログラムがコンピュータにより読み取られて、動作の全部あるいは一部が実行される。あるいは、そのプログラムの全体あるいは一部を通信ネットワークを介して流通または提供することができる。利用者は、通信ネットワークを介してそのプログラムをダウンロードしてコンピュータにインストールしたり、あるいは記録媒体からコンピュータにインストールすることで、本実施形態の照明制御システムを容易に実現することができる。
【００７８】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００７９】
１    照明制御システム、２  照明制御装置、２ａ  中央処理装置（CPU）、２ｂ  記憶装置、３  照明器具、４  照度センサ、５  通信ライン、６  無線通信装置、１１  スマートフォン、１２  装置本体、１３  表示部、１４  スピーカ、１５  照度センサ、１６  マイク、１７  中央処理装置（CPU）、１８  フラッシュメモリ、１９  無線通信部、２１  回数表示部、２２  レイアウト表示部、２３  照度表示部、２４  送信ボタン、２５  他エリア校正ボタン、２６  終了ボタン。
【図１】
2015060752.tif 000003
【図２】
2015060752.tif 000004
【図３】
2015060752.tif 000005
【図４】
2015060752.tif 000006
【図５】
2015060752.tif 000007
【図６】
2015060752.tif 000008
【図７】
2015060752.tif 000009
【図８】
2015060752.tif 000010
【図９】
2015060752.tif 000011
【図１０】
2015060752.tif 000012
【図１１】
2015060752.tif 000013
【図１２】
2015060752.tif 000014
【図１３】
2015060752.tif 000015
【図１４】
2015060752.tif 000016